(57)【要約】【課題】離型紙を伝票の一部として利用することにより、ごみの発生を防止し省資源化を図り、更には全体の小型化を可能にした配送伝票を提供する。【解決手段】裏面に接着剤２とこの接着剤２を被覆する離型紙３を有する貼着票４の表面側に荷札５ａや受領票５ｃ等となる伝票５を有する配送伝票１であって、前記離型紙３を配送受注時に取り去る荷送り人控え票８ａや請求書票８ｂ等の配送受注時分離伝票８とした。【選択図】　図１
2004025600.tif 000002
【特許請求の範囲】
【請求項１】
裏面に接着剤とこの接着剤を被覆する離型紙を有する貼着票の表面側に荷札や受領票等となる伝票を有する配送伝票であって、前記離型紙を配送受注時に取り去る荷送り人控え票や請求書票等の配送受注時分離伝票としたことを特徴とする配送伝票。
【請求項２】
貼着票の表面側に有する伝票は、荷札、受領票が切り離し可能に連接された１枚の伝票紙からなり、該伝票紙が前記貼着票に疑似接着されていることを特徴とする請求項１に記載の配送伝票。
【発明の詳細な説明】
【０００１】
【発明の属する技術分野】
本発明は、配送品の配送作業に用いられる配送伝票に関するものである。
【０００２】
【従来の技術】
従来、配送品の配送作業に用いられる配送伝票として、裏面に接着剤とこの接着剤を被覆する離型紙を有する貼着票の表面側に、荷送り人控え票、請求書票、荷札、送り状、受領票等となる複数枚の伝票が重ねて綴じられた構成からなっており、配送受注時に前記荷送り人控え票、請求書票が取り去られるとともに、貼着台紙の裏面の離型紙が剥がされて配送品に貼着され、そして、配送先で受領票を取り去り、受領印を受けて持ち帰るといったものが知られている。
【０００３】
また、レーザープリンターやサーマルプリンター等の普及にともない、荷送り人控え票、荷札、送り状、受領票等の複数の伝票を１枚で形成して、各伝票を切り離し可能とした１枚の伝票紙を貼着票の表面に疑似接着した配送伝票が提案されている。
【０００４】
【発明が解決しようとする課題】
しかしながら、上記配送伝票は、いずれも配送品に貼着するとき、貼着票から剥がした離型紙がごみとなるのでその始末が面倒となるとともに資源の無駄にもなるといった問題がある。
【０００５】
本発明の目的は、離型紙を伝票の一部として利用することにより、ごみの発生を防止し省資源化を図り、更には全体の小型化を可能にした配送伝票を提供することにある。
【０００６】
【課題を解決するための手段】
上記の目的を達成するために、請求項１に記載の発明は、裏面に接着剤とこの接着剤を被覆する離型紙を有する貼着票の表面側に荷札や受領票等となる伝票を有する配送伝票であって、前記離型紙を配送受注時に取り去る荷送り人控え票や請求書票等の配送受注時分離伝票としたことを特徴とする。
【０００７】
かかる構成から、配送品に貼着するとき、貼着票から剥がした離型紙が荷送り人控え票や請求書票等の配送受注時分離伝票となるので、ごみが出ず省資源化が図れるとともに、離型紙が荷送り人控え票や請求書票等の配送受注時分離伝票となるので、その分の伝票が省ける結果、全体の小型化（少枚数化）が図れ、そして使用材料も少なくなるので、コストダウンも図れる。
【０００８】
請求項２に記載の発明は、請求項１に記載の、前記貼着票の表面側に有する伝票が、荷札、受領票が切り離し可能に連接された１枚の伝票紙からなり、該伝票紙が前記貼着票に疑似接着されていることを特徴とする。
【０００９】
このようにすることにより、配送品に貼着するとき、貼着票から剥がした離型紙が荷送り人控え票や請求書票等の配送受注時分離伝票となるので、ごみが出ず省資源化が図れるとともに、離型紙が荷送り人控え票や請求書票等の配送受注時分離伝票となるので、その分、１枚の伝票紙に形成する伝票の種類を省ける結果、全体の小型化が図れ、小さい配送品への対応が容易となり、また、使用材料も少なくなるので、コストダウンも図れる。
【００１０】
【発明の実施の形態】
以下、本発明に係る配送伝票の実施の形態の一例を説明する。
図１、図２は本発明に係る配送伝票の実施の形態の第１例を示すもので、図１は側面図、図２は底面図である。
【００１１】
本例の配送伝票１は、裏面に接着剤２とこの接着剤２を被覆する離型紙３を有する貼着票４の表面側に伝票５が重ねられている。この伝票５は、上側から荷札５ａ、送り状５ｂ、受領票５ｃの順で重ねられ、側縁が接着剤６で接着されている。荷札５ａ、送り状５ｂ、受領票５ｃには、切り取り用のミシン目７が形成されている。
【００１２】
前記貼着票４の裏面の接着剤２を被覆している離型紙３は、前記離型紙３を配送受注時に取り去る荷送り人控え票や請求書票等の配送受注時分離伝票８となっており、本例では離型紙３からなる配送受注時分離伝票８は、荷送り人控え票８ａと請求書票８ｂがミシン目９で切り離し可能に構成されている。
【００１３】
このように構成したから、配送品に貼着するとき、貼着票４から剥がした離型紙３が荷送り人控え票８ａや請求書票８ｂの配送受注時分離伝票８となるので、ごみが出ず省資源化が図れるとともに、離型紙３が配送受注時分離伝票８となるので、その分の伝票が省ける結果、配送伝票１の全体の少枚数化が図れ、そして使用材料も少なくなるので、コストダウンも図れる。
【００１４】
図３、図４は、本発明に係る配送伝票の実施の形態の第２例を示すもので、図３は斜視図、図４は底面図である。
本例の配送伝票１は、裏面に接着剤２とこの接着剤２を被覆する離型紙３を有する貼着票４の表面側に伝票５が重ねられている。この伝票５は、荷札５ａ、受領票５ｃがミシン目１０で切り離し可能に連接された１枚の伝票紙５Ａからなり、該伝票紙５Ａが前記貼着票４の表面に疑似接着剤１１により剥離可能に疑似接着されている。前記伝票紙５Ａを貼着票４の表面に疑似接着する疑似接着剤にあっては、公知の疑似接着剤が使用され、特に限定されるものではない。
【００１５】
前記貼着票４の裏面の接着剤２を被覆している離型紙３は、前記第１例と同様に、前記離型紙３を配送受注時に取り去る荷送り人控え票８ａや請求書票８ｂの配送受注時分離伝票８となっており、本例も離型紙３からなる配送受注時分離伝票８は、荷送り人控え票８ａと請求書票８ｂがミシン目９で切り離し可能に構成されている。
【００１６】
このように構成したから、配送品に貼着するとき、貼着票４から剥がした離型紙３が荷送り人控え票８ａや請求書票８ｃの配送受注時分離伝票８となるので、ごみが出ず省資源化が図れるとともに、離型紙３が配送受注時分離伝票８となるので、その分、１枚の伝票紙５Ａに形成する伝票５の種類を省ける結果、全体の小型化が図れ、小さい配送品への対応が容易となり、また、使用材料も少なくなるので、コストダウンも図れる。
【００１７】
【発明の効果】
以上のように本発明に係る配送伝票によれば、配送品に貼着するとき、貼着票から剥がした離型紙が荷送り人控え票や請求書票等の配送受注時分離伝票となるので、ごみが出ず省資源化が図れるとともに、離型紙が荷送り人控え票や請求書票等の配送受注時分離伝票とすることにより、その分の伝票が省ける結果、全体の小型化（少枚数化）を図ることができ、そして使用材料も少なくなるので、コストダウンも図ることができる。
【図面の簡単な説明】
【図１】本発明に係る配送伝票の実施の形態の第１例を示した側面図。
【図２】図１の底面図。
【図３】本発明に係る配送伝票の実施の形態の第２例を示した斜視図。
【図４】図３の底面図。
【符号の説明】
１　配送伝票
２　接着剤
３　離型紙
４　貼着票
５　伝票
５ａ　荷札
５ｂ　送り状
５ｃ　受領票
５Ａ　伝票紙
６　接着剤
７　ミシン目
８　配送受注時分離伝票
８ａ　荷送り人控え票
８ｂ　請求書票
９，１０　ミシン目
１１　疑似接着剤
【図１】
2004025600.tif 000003
【図２】
2004025600.tif 000004
【図３】
2004025600.tif 000005
【図４】
2004025600.tif 000006